(57)【特許請求の範囲】
【請求項１】
操作用電子部品を箱体状の操作パネルに実装する方式の卓上設置型の無線通信機において、
前記操作パネルの側端壁を傾斜させて構成し、ツマミによって回動操作される電子部品を前記操作パネルの側端壁に取り付けることにより、前記電子部品の操作軸を外側へ傾斜せしめると共に、前記操作パネルの背面に固定させた把手を前記電子部品のツマミの背後に設け、前記把手を親指以外の指で把持した状態で前記電子部品のツマミを親指で回動操作できるようにしたことを特徴とする卓上設置型の無線通信機。
【請求項２】
前記操作パネルの表面に前記電子部品のツマミの上下面の一部を覆う隆起部を形成した請求項１に記載の卓上設置型の無線通信機。
【請求項３】
前記把手は前記操作パネルの背面に対して着脱自在に取り付けられている請求項１又は請求項２に記載の卓上設置型の無線通信機。
【発明の詳細な説明】
【技術分野】
【０００１】
本発明は船舶や車両に搭載される卓上設置型の無線通信機に係り、ツマミによって回動操作される電子部品（以下、「回動操作部品」という）を操作パネルに実装する方式とその操作性の向上に関する。
【背景技術】
【０００２】
船舶や車両に搭載される無線通信機の操作パネルには、多数の操作部品が実装されているが、操作方式で大別すれば、押しボタンスイッチと、可変抵抗器や可変容量器やロータリーエンコーダ等の回動操作部品とに分かれる。
また、最近の無線通信機では、操作パネルのほぼ中央部に液晶表示部を配置させて、その周囲に各操作部品を配設させている機種が多い。
【０００３】
そして、操作パネル面における操作部品のレイアウトはメーカや無線通信機の型式によって様々に相違しているが、回動操作部品については、ユーザが操作パネルに正対して操作することを考慮して、操作パネルの側部寄り領域に配設される傾向がある。
例外的に、運用周波数を設定するメインダイヤルツマミについては中央領域に設けられている機種も多く見受けられるが、それは、微小な回動角度での調節が要求されるメインダイヤルツマミはその径が比較的大きく設計され、配置スペース上の制約を受けるためである。
従って、操作性を考慮すれば、メインダイヤルツマミもむしろ側部寄り領域に設ける方が合理的である。
【０００４】
このように、無線通信機では、押しボタンスイッチはどの位置にあってもそれほど操作性に影響しないために、各スイッチの機能の関連付けを理解し易くするような配置がなされるが、回動操作部品は原則的にツマミ操作が行い易い側部寄りに配置されている場合が多い。
尚、操作パネルに対する操作部品の配置に関しては、下記特許文献１では同種・同特性の操作部品相互間での制御機能を自由に割り付けられるようにした方式が提案されており、ユーザの利き手や機器の設置箇所等に応じて選択的な割り付けを行うことにより使用条件に応じた良好な操作性を実現している。
【０００５】
【特許文献１】特許第３４２６１８４号公報
【発明の開示】
【発明が解決しようとする課題】
【０００６】
ところで、図８に示すように、無線通信機１００の回動操作部品１０１はその回動軸１０２が操作パネル１０３に対して垂直になるように取り付けられている。
従って、同図に示すように、回動操作部品１０１が操作パネル１０３の側部寄りに配設されていても、ユーザ１０４が操作パネル１０３に正対した状態で回動操作部品１０１のツマミ１０１aを指で操作する際には、腕１０５の方向（１０６）に対して手１０７の甲の方向（１０８）を外側へ開いて行われる。
【０００７】
その場合、一般に人間の手首はそれほど柔軟ではなく、腕１０５の方向（１０６）と手１０７の甲の方向（１０８）とのなす角度αはせいぜい１００°程度までで、それ以上に小さな角度にすることは無理であり、ツマミ１０１aの操作はかなり窮屈な状態で行われることになる。特に、モービル運用される無線通信機においては、移動時に身体が不安定に振動したり揺動したりしている場合も多く、前記の窮屈な状態での操作では適切な調節や調整を行うことが困難になる。
【０００８】
そして、その窮屈さを緩和するべく前記角度αを大きくするには、図８において、ユーザ１０４は操作パネル１０３との正対位置から左側へ移動せざるを得ない。
しかし、最近の無線通信機は部品の実装密度を上げて益々小型化が図られていると共に、前記のように操作パネルのほぼ中央部に液晶表示部が設けることが多く、ユーザ１０４が移動してその視点が操作パネル１０３に対する正対位置から側方へずれてしまうと、液晶表示部１０９の視角特性によっては表示内容が見えなくなる場合もある。
【０００９】
そこで、本発明は、無線通信機の操作性に関する前記問題点に鑑みて、操作パネルに正対しながら回動操作部品のツマミを自然な手の形で無理なく操作でき、更には船舶や車両の中で振動状態や揺動状態にあっても正確に調整操作ができるようにした卓上設置型の無線通信機を提供することを目的として創作された。
【課題を解決するための手段】
【００１０】
本発明は、操作用電子部品を箱体状の操作パネルに実装する方式の卓上設置型の無線通信機において、前記操作パネルの側端壁を傾斜させて構成し、ツマミによって回動操作される電子部品を前記操作パネルの側端壁に取り付けることにより、前記電子部品の操作軸を外側へ傾斜せしめると共に、前記操作パネルの背面に固定させた把手を前記電子部品のツマミの背後に設け、前記把手を親指以外の指で把持した状態で前記電子部品のツマミを親指で回動操作できるようにしたことを特徴とする卓上設置型の無線通信機に係る。
尚、回動操作部品の操作軸の傾斜角度については、操作パネル自体の幅を考慮し、また表示部を備えている場合にはその位置を考慮して設定されるが、パネルに対して立てた垂線に対して約２０°〜７０°の範囲で選択される。
【００１１】
また、本発明の卓上設置型の無線通信機に関する拡張的構成として、操作パネルの表面にツマミの上下面の一部を覆う隆起部を形成した形態も採用でき、更に、把手を操作パネルの背面に対して着脱自在に取り付けるようにしておくと、都合が良い。
【発明の効果】
【００１２】
この発明によれば、ユーザは、無線通信機の操作パネルに正対していても、図８における角度αを大きくとった窮屈さの無い自然な状態で回動操作部品のツマミを親指で回動操作できるために操作性の向上が図れ、且つ、ツマミの背後に操作パネルの背面に固定させた把手を配置させていることにより、船舶や車両等の中での不安定な操作環境においても、ツマミと手の相対的位置関係を固定した状態で親指による回動操作ができ、常に正確な操作が行える。
また、無線通信機が小型であっても、ユーザは操作パネルに対して正対しながらツマミを操作できるため、液晶表示部が設けられている場合にその視角特性による制限を受けることはない。
尚、ツマミの上下面の一部を覆う隆起部を形成した形態によれば、ツマミに対する意図しない接触を防止できる。
更に、把手を操作パネルの背面に対して着脱自在にしておくことにより、無線通信機を、卓上設置タイプとしてだけではなく、壁面埋め込みタイプとしても利用できる。
【発明を実施するための最良の形態】
【００１３】
以下、図１から図７を参照しながら、本発明の卓上設置型の無線通信機に係る各実施例を説明する。
【実施例１】
【００１４】
この実施例は、船舶で利用される卓上設置型のトランシーバに関する。
図１及び図２はそれぞれトランシーバが設置された状態を示す正面図と平面図であり、トランシーバ１は本体筐体部２と操作パネル４とからなり、専用のＵ字状のブラケット３１を用いて卓上に設置されている。
卓上への設置については、前記ブラケット３１を基台の上にボルト３２a，３２bで固定すると共に、ブラケット３１の両側板部に対してトランシーバ１の本体筐体部２の両側壁をブッシュ３３a，３３bを介してネジ３４a，３４bで締着することにより、トランシーバ１全体を支持・固定するようになっている。
尚、図１における二点鎖線で囲んだ領域には押しボタンスイッチ類が配設されているが省略してある。
【００１５】
ところで、この実施例における操作パネル４の右側部領域の詳細は図３に示され、同図の（Ａ）は操作パネル４の右側部領域の正面図を、（Ｂ）は同領域に係る平面図、（Ｃ）は同領域における回動操作部品が取り付けられている部分の断面図である。
この実施例のトランシーバ１では、操作パネル４の右側の側端壁５が傾斜面として構成されており、チャンネルセレクト用とボリューム用とスケルチ用の各回動操作部品６，７，８がその回動軸６a，７a，８aを前記側端壁５に対して垂直な関係で貫通させて取り付けられており、操作パネル４の表面側に突出した各回動軸６a，７a，８aに対してツマミ６b，７b，８bが嵌着せしめられている。
但し、この実施例では、操作パネル４の側端壁５は基準面（操作パネル４の背面）に対して約４５°傾斜させてあり、その結果、各回動操作部品６，７，８の回動軸６a，７a，８aが前記基準面に立てた垂線に対して外側へ約４５°（図３における角度θ）傾斜した状態で取り付けられている。
また、この実施例では、操作パネル４の表面における各回動操作部品６，７，８のツマミ６b，７b，８bが配設されている方向に沿って隆起部１５が形成されており、各ツマミ６b，７b，８bの上下面の一部を覆っている。但し、スケルチ用のツマミ８bについては、隆起部１５がツマミ８bの前面も覆っている。
【００１６】
この実施例における更なる特徴は、操作パネル４の背面にネジ止め固定した把手３５が設けられており、図２に示すように、ユーザがその把手３５に親指以外の指を引っ掛けた状態で、親指の腹でツマミ６b，７b，８bを回動操作できるようになっている点にある。
従って、この実施例の構成によれば、ツマミ６b，７b，８bを指で摘んで操作する場合には、図８に示したような窮屈な操作状態とならず、図２に示した前記状態で操作を行う場合には、船舶が揺動して不安定な操作環境になっても、操作パネル４に対する手の位置を安定化させることができ、親指による正確な回動操作が行えるという利点がある。
また、図２に示す手３６と腕３７の状態は、操作パネル４の中央の液晶表示部１０に正対しながら操作パネル４の側部を手３６で握持する場合の自然な状態であり、窮屈な操作を強いられることはない。
【００１７】
尚、前記隆起部１５は各ツマミ６b，７b，８bに対するガード機能を果たし、船舶の航行中においては頻繁に揺動が生じ、ユーザがツマミ６b，７b，８bに不意に接触して調整状態を大きく変化させてしまう可能性があるが、隆起部１５を設けたことによりそれを防止できる。
更に、把手３５は操作パネル４の背面に対してネジ止めされているだけで着脱自在になっているため、トランシーバ１を壁面埋め込みタイプとして利用する場合には、操作パネル４から把手３５を外して本体筐体部２を壁面に埋め込むようにすればよい。
【実施例２】
【００１８】
この実施例は、実施例１の変形例に相当するものである。
図４の（Ａ）は無線通信機の外観斜視図を、（Ｂ）は平面図を示す。
この無線通信機４１は、通常の送受信機能以外に、ＧＰＳ（Global Positioning System）を利用したナビゲーション機能やトラッキング・ルーティング機能を備え、箱状の操作パネル４２内に前記各機能に係る電子回路を集約的に内蔵させていると共に、そのパネル面の右側部領域４３には押しボタンスイッチ類と回動操作部品のツマミ４４が実装されている。
また、前記の部品実装領域の左側は比較的大きなサイズの液晶表示部４５として構成されている。
尚、操作パネル４２全体は固定台４６によって卓上に設置される。
【００１９】
この無線通信機４１の特徴は、回動操作部品が実施例１と同様の方式で実装されており、Ｕ字状に曲げた棒材又はパイプ材で構成した把手５１が、そのグリップ部分５１aを回動操作部品のツマミ４４の背後に位置させるようにして、操作パネル４２の背面に固定されている点にある。
その構成によれば、図５に示されるように、ユーザは把手５１のグリップ部分５１aを人差し指から小指までの４本の指で握った状態で、親指によってツマミ４４を操作することができ、実施例１の場合（図２の操作状態）と比較しても、ツマミ４４に対する手５２の相対的位置がより強く固定されるために、振動や揺動のある操作環境においても回動操作部品の正確な調整が可能になる。
【００２０】
また、前記の図４及び図５に示した実施例ではＵ字状に曲げた棒材等で把手５１を構成しているが、他の変形例として、図６及び図７に示すようにバー・ハンドル状の把手６１としてもよい。
即ち、把手６１は操作パネル４２'の背面に水平に固定された中空棒６１aに対して垂直な関係で取り付けられており、そのハンドル部分がツマミ４４の背後に位置させてある。
また、その把手６１の先端部には、図４及び図５に示した実施例では操作パネル４２側に設けられていたカーソルノブや主要操作キーがレイアウトされており、それら操作部ヒント操作パネル４２'側の電子回路は中空棒６１aの内部を通したリード線で接続されている。
【００２１】
従って、ユーザは把手６１を握った状態で、前記カーソルノブ等を親指で操作できると共に、図７に示すようにツマミ４４も操作することができる。
この把手６１を用いた実施例によれば、ツマミ４４に対する手６２の相対的位置が強く固定されることは図５の場合と同様であり、回動操作部品を正確に調整できると共に、極めて高い操作性が実現できる。
【産業上の利用可能性】
【００２２】
以上のように、本発明は卓上設置型の無線通信機に適用できる。
【図面の簡単な説明】
【００２３】
【図１】実施例１に関して、トランシーバが卓上に固定設置された状態での正面図である。
【図２】実施例１に関して、トランシーバが卓上に固定設置されており、回動操作部品のツマミを操作している状態を示す平面図である。
【図３】実施例１に関して、操作パネルの右側部領域の正面図（Ａ）と、同領域に係る平面図（Ｂ）と、同領域における回動操作部品が取り付けられている部分の断面図（Ｃ）である。
【図４】実施例２に関して、送受信機能とＧＰＳを利用した各種機能を備えた無線通信機の外観斜視図（Ａ）と、平面図（Ｂ）である。
【図５】実施例２に関して、回動操作部品のツマミを操作している状態を示す外観斜視図である。
【図６】実施例２の他の例に関して、送受信機能とＧＰＳを利用した各種機能を備えた無線通信機の外観斜視図（Ａ）と、平面図（Ｂ）である。
【図７】実施例２の他の例に関して、回動操作部品のツマミを操作している状態を示す外観斜視図である。
【図８】従来の無線通信機のツマミ操作状態を示す平面図である。
【符号の説明】
【００２４】
１…トランシーバ、２…本体筐体部、４…操作パネル、５…側端壁、６，７，８…回動操作部品、６a，７a，８a…回動軸、６b，７b，８b…ツマミ、１０…液晶表示部、１５…隆起部、３１…ブラケット、３２a，３２b…ボルト、３３a，３３b…ブッシュ、３４a，３４b…ネジ、３５…把手、３６…手、３７…腕、４１，４１'…無線通信機、４２，４２'…操作パネル、４３，４３'…右側部領域、４４…ツマミ、４５…液晶表示部、４６…固定台、５１…把手、５１a…グリップ部分、５２…手、６１…把手、６１a…中空棒、６２…手、１００…無線通信機、１０１…回動操作部品、１０１a…ツマミ、１０２…回動軸、１０３…操作パネル、１０４…ユーザ、１０５…腕、１０６…腕の方向、１０７…手、１０８…手の甲の方向、１０９…液晶表示部。
【図１】
0003894920.tif 000002
【図２】
0003894920.tif 000003
【図３】
0003894920.tif 000004
【図４】
0003894920.tif 000005
【図５】
0003894920.tif 000006
【図６】
0003894920.tif 000007
【図７】
0003894920.tif 000008
【図８】
0003894920.tif 000009